(57)【要約】      （修正有）【課題】読み取った取引伝票から照合印の印影を容易に抽出することができる印鑑照合方法及び印鑑照合プログラムを提供する。【解決手段】印鑑照合方法は、照合対象の照合印が印字面に捺印された取引伝票の印字面の画像３ａを取得する工程１と、画像３ａにおいて照合印の印影３ｂ上の指定された任意の一の指定点３ｃに基づき印影３ｂの印影領域３ｄを特定する工程２と、特定した印影領域３ｄ内の照合印の印影３ｂと届出印とを照合する工程３と、を含む。照合印の印影３ｂに対して印影領域３ｄを移動させて、サイズを調整することなく、照合印の印影３ｂ上の任意の一の指定点３ｃを指定するだけで、印影３ｂに対する印影領域３ｄを特定することができる。したがって、読み取った取引伝票から照合印の印影３ｂを容易に抽出することができ、その後の印鑑照合に効率よく進むことができるようになる。【選択図】図１
2020052860.tif 000002
【特許請求の範囲】
【請求項１】
照合対象の照合印が印字面に捺印された取引伝票の前記印字面の画像を取得し、
前記画像において前記照合印の印影上の指定された任意の一の指定点に基づき前記印影の印影領域を特定し、
特定した前記印影領域内の前記印影と届出印とを照合する、
印鑑照合方法。
【請求項２】
前記指定点を通過する互いに直交する２つの走査線を前記印影の外側にそれぞれ走査し、
前記２つの走査線が前記印影と接した時の前記２つの走査線の第１交点に基づき、前記印影領域を特定する、
請求項１に記載の印鑑照合方法。
【請求項３】
前記第１交点に頂点の一つが重畳する矩形で前記印影を取り囲み、取り囲んだ範囲を前記印影領域として特定する、
請求項２に記載の印鑑照合方法。
【請求項４】
前記２つの走査線を前記第１交点の場合に対してそれぞれ逆方向に走査し、
前記２つの走査線が前記印影と接した時の前記２つの走査線の第２交点と前記第１交点とに基づき、前記印影の前記印影領域を特定する、
請求項２に記載の印鑑照合方法。
【請求項５】
前記第１交点と前記第２交点とで規定される矩形で前記印影を取り囲み、取り囲んだ範囲を前記印影領域として特定する、
請求項４に記載の印鑑照合方法。
【請求項６】
前記照合印の外形は、円形、楕円形、または、矩形である、
請求項１乃至５のいずれかに記載の印鑑照合方法。
【請求項７】
コンピュータに、
照合対象の照合印が印字面に捺印された取引伝票の前記印字面の画像を取得し、
前記画像において前記照合印の印影上の指定された任意の一の指定点に基づき前記印影の印影領域を特定し、
特定した前記印影領域内の前記印影と届出印とを照合する、
処理を実行させる印鑑照合プログラム。
【発明の詳細な説明】
【技術分野】
【０００１】
本発明は、印鑑照合方法及び印鑑照合プログラムに関する。
【背景技術】
【０００２】
金融機関では、様々な金融手続き並びに金融取引の際に印鑑照合を行うことがある。印鑑照合では、照合対象の照合印が捺印された取引伝票をイメージスキャナで読み取り、読み取った取引伝票の照合印の印影と金融機関に予め届けられている届出印とを比較することで行われる（例えば、特許文献１参照）。
【０００３】
ここで、印鑑照合を行う際にイメージスキャナで読み取った取引伝票から照合印の印影を抽出する方法について図１４及び図１５を用いて説明する。
図１４及び図１５は、印鑑照合装置で実行される印影抽出処理時に示される表示画面例を示す図である。なお、図１４（Ａ），（Ｂ）及び図１５（Ａ），（Ｂ）は、印影抽出処理を時系列的に表している。
【０００４】
金融機関の係員は、印鑑照合装置を操作して、照合対象の照合印が印字面に捺印された取引伝票をイメージスキャナ（図示を省略）で読み取って、読み取った取引伝票の印字面の画像３０ａをディスプレイ３０に表示する（図１４（Ａ））。すると、ディスプレイ３０に表示される印字面の画像３０ａ（の左上）には、照合印の印影３０ｂを選択して特定する印影領域１３０ｄも表示される。
【０００５】
係員は、印鑑照合装置に接続されているマウス（図示を省略）を用いて、印影領域１３０ｄを印影３０ｂに移動し（図１４（Ｂ））、印影３０ｂを囲むようにサイズを調整する（図１５（Ａ））。このようにして、照合印の印影３０ｂが印影領域１３０ｄにより囲まれて選択される（図１５（Ｂ））。
【０００６】
印鑑照合装置は、印影領域１３０ｄにより選択された照合印の印影３０ｂを抽出して、届出印と比較することで照合印の印鑑照合を行う。
【先行技術文献】
【特許文献】
【０００７】
【特許文献１】特開２０１７−３３４４９号公報
【発明の概要】
【発明が解決しようとする課題】
【０００８】
このようにイメージスキャナで読み取った取引伝票の印字面の画像から照合印の印影を抽出するために、照合印の印影に印影領域を移動させて、サイズを調整するといった煩雑な操作が必要であった。また、取引伝票は種類により書式が異なり、照合印の捺印箇所が異なる。係員は、取引伝票ごとに捺印箇所を確認して、印影領域の移動、サイズ調整の操作を行わなくてはならず、照合印の印影を抽出するための操作がより煩雑となってしまう。
【０００９】
本発明は、このような点に鑑みてなされたものであり、読み取った取引伝票から照合印の印影を容易に抽出することができる印鑑照合方法及び印鑑照合プログラムを提供することを目的とする。
【課題を解決するための手段】
【００１０】
本発明の一観点によれば、照合対象の照合印が印字面に捺印された取引伝票の前記印字面の画像を取得し、前記画像において前記照合印の印影上の指定された任意の一の指定点に基づき前記印影の印影領域を特定し、特定した前記印影領域内の前記印影と届出印とを照合する、印鑑照合方法が提供される。
【００１１】
また、本発明の一観点によれば、上記の印鑑照合方法を実行する印鑑照合プログラムが提供される。
【発明の効果】
【００１２】
開示の技術によれば、読み取った取引伝票から照合印の印影を容易に抽出することができ、印鑑照合に効率よく進むことができるようになる。
【図面の簡単な説明】
【００１３】
【図１】第１の実施の形態の印鑑照合方法を説明するための図である。
【図２】第２の実施の形態の印鑑照合システムとそのハードウェア構成例を示す図である。
【図３】第２の実施の形態の印鑑照合装置が備える機能を示すブロック図である。
【図４】第２の実施の形態の印鑑照合装置で実行される印鑑照合処理を示すフローチャートである。
【図５】第２の実施の形態の印鑑照合装置で実行される印影抽出処理時に示される表示画面例を示す図である。
【図６】第２の実施の形態の印鑑照合装置で実行される印影抽出処理を示すフローチャートである。
【図７】第２の実施の形態の印鑑照合装置で実行される印影抽出処理を説明するための図である。
【図８】第２の実施の形態の印鑑照合装置で実行される座標算出処理を示すフローチャート（その１）である。
【図９】第２の実施の形態の印鑑照合装置で実行される座標算出処理を示すフローチャート（その２）である。
【図１０】第２の実施の形態の印鑑照合装置で実行される座標取得処理を説明するための図（その１）である。
【図１１】第２の実施の形態の印鑑照合装置で実行される座標取得処理を説明するための図（その２）である。
【図１２】第３の実施の形態の印鑑照合装置で実行される印影抽出処理を示すフローチャートである。
【図１３】第３の実施の形態の印鑑照合装置で実行される印影抽出処理を説明するための図である。
【図１４】印鑑照合装置で実行される印影抽出処理時に示される表示画面例を示す図（その１）である。
【図１５】印鑑照合装置で実行される印影抽出処理時に示される表示画面例を示す図（その２）である。
【発明を実施するための形態】
【００１４】
以下、図面を参照して、実施の形態について説明する。
［第１の実施の形態］
まず、第１の実施の形態の印鑑照合方法について図１を用いて説明する。
【００１５】
図１は、第１の実施の形態の印鑑照合方法を説明するための図である。なお、図１（Ａ）は、印鑑照合システム１を、図１（Ｂ）は、印鑑照合システム１で実行される印鑑照合方法をそれぞれ表している。また、図１（Ｃ）〜図１（Ｅ）は、印鑑照合方法において表示される表示画面例をそれぞれ表している。
【００１６】
印鑑照合システム１は、印鑑照合装置２と表示装置３と入力装置４と画像読取装置５とを有している。
印鑑照合装置２は、読み取った取引伝票の照合印に対して、図１（Ｂ）に示される印鑑照合方法を実行する。表示装置３は、印鑑照合装置２の制御に応じて、読み取った取引伝票の印字面の画像を表示する。入力装置４は、ユーザの操作に応じて、表示装置３の表示における読み取った取引伝票の印字面の画像に対して指定点を指定する。このような入力装置４は、マウス、タッチパネル等が適用される。なお、図１（Ａ）では、マウスを適用した例を示している。画像読取装置５は、印鑑照合装置２の制御に応じて、取引伝票の印字面を読み取る。
【００１７】
次に、このような印鑑照合システム１で実行される印鑑照合方法について図１（Ｂ）〜図１（Ｅ）を用いて説明する。
まず、印鑑照合装置２は、画像読取装置５にセットされた取引伝票の印字面を読み取らせてその画像を取得し（工程１）、表示装置３に、読み取った取引伝票の印字面の画像３ａを表示させる。この際、印字面の画像３ａには、捺印された照合対象の照合印の印影３ｂが含まれている（図１（Ｃ））。
【００１８】
次いで、印鑑照合装置２は、ユーザの入力装置４の操作に基づき、照合印の印影３ｂ上に任意の一の指定点３ｃの指定を受け付けて（図１（Ｄ））、指定点３ｃに基づき印影３ｂの印影領域３ｄを特定する（工程２：図１（Ｅ））。印鑑照合装置２は、特定した印影領域３ｄ内の照合印の印影３ｂと届出印とを照合する（工程３）。
【００１９】
そして、照合印の印影３ｂと届出印とが適切に適合していることが判定されると、所望の金融取引、金融手続き等を実行することができる。
上記の印鑑照合システム１では、照合対象の照合印が印字面に捺印された取引伝票の印字面の画像３ａを取得し、画像３ａにおいて照合印の印影３ｂ上の指定された任意の一の指定点３ｃに基づき印影３ｂの印影領域３ｄを特定し、特定した印影領域３ｄ内の照合印の印影３ｂと届出印とを照合する。
【００２０】
このような印鑑照合方法では、照合印の印影３ｂに対して印影領域３ｄを移動させて、サイズを調整することなく、照合印の印影３ｂ上の任意の一の指定点３ｃを指定するだけで、印影３ｂに対する印影領域３ｄを特定することができる。したがって、読み取った取引伝票から照合印の印影３ｂを容易に抽出することができ、その後の印鑑照合に効率よく進むことができるようになる。
【００２１】
［第２の実施の形態］
第２の実施の形態では、第１の実施の形態の印鑑照合方法についてより具体的に説明する。
【００２２】
まず、第２の実施の形態の印鑑照合システムについて図２を用いて説明する。
図２は、第２の実施の形態の印鑑照合システムとそのハードウェア構成例を示す図である。このような印鑑照合システム１０は、印鑑照合装置２０とディスプレイ３０とキーボード３１とマウス３２とイメージスキャナ３３とを有している。
【００２３】
印鑑照合装置２０は、係員のキーボード３１並びにマウス３２を用いた操作入力に応じて、イメージスキャナ３３を制御して取引伝票の印字面の画像を取得し、ディスプレイ３０に印字面の画像を表示させる。また、印鑑照合装置２０は、係員のマウス３２を用いた操作入力に基づいて、読み取った照合印と届出印との照合を行い、照合結果をディスプレイ３０に表示する。
【００２４】
このような印鑑照合装置２０は、プロセッサ２０ａとＲＡＭ（Random Access Memory）２０ｂとＨＤＤ（Hard Disk Drive）２０ｃと通信処理部２０ｄとグラフィック処理部２０ｅと入出力信号処理部２０ｆとディスクドライブ２０ｇと機器接続部２０ｈとを有する。各ユニットは印鑑照合装置２０のバス２０ｉに接続されている。
【００２５】
プロセッサ２０ａは、印鑑照合装置２０の情報処理を制御する。プロセッサ２０ａは、例えば、ＣＰＵ（Central Processing Unit）、ＭＰＵ（Micro Processing Unit）、ＤＳＰ（Digital Signal Processor）、ＡＳＩＣ（Application Specific Integrated Circuit）、ＦＰＧＡ（Field Programmable Gate Array）またはＰＬＤ（Programmable Logic Device）等である。プロセッサ２０ａは、マルチプロセッサであってもよい。プロセッサ２０ａは、ＣＰＵ、ＭＰＵ、ＤＳＰ、ＡＳＩＣ、ＦＰＧＡ、ＰＬＤのうちの２以上の要素の組合せであってもよい。
【００２６】
ＲＡＭ２０ｂは、印鑑照合装置２０の主記憶装置である。ＲＡＭ２０ｂは、プロセッサ２０ａに実行させるＯＳ（Operation System）のプログラムやアプリケーションプログラムの少なくとも一部を一時的に記憶する。また、ＲＡＭ２０ｂは、プロセッサ２０ａによる処理に用いる各種データを記憶する。
【００２７】
ＨＤＤ２０ｃは、印鑑照合装置２０の補助記憶装置である。ＨＤＤ２０ｃは、内蔵した磁気ディスクに対して、磁気的にデータの書き込み及び読み出しを行う。ＨＤＤ２０ｃには、ＯＳのプログラム、アプリケーションプログラム、及び各種データが格納される。印鑑照合装置２０は、フラッシュメモリやＳＳＤ（Solid State Drive）等の他の種類の補助記憶装置を備えてもよく、複数の補助記憶装置を備えてもよい。
【００２８】
通信処理部２０ｄは、ネットワーク（図示を省略）を介して他のコンピュータと無線通信を行えるインタフェースである。通信処理部２０ｄは、有線インタフェースでもよい。このような通信処理部２０ｄは、例えば、携帯型の情報処理端末に対して通信を実行することができる。
【００２９】
グラフィック処理部２０ｅは、プロセッサ２０ａからの命令にしたがって、印鑑照合装置２０に接続されたディスプレイ３０に画像を出力する。ディスプレイ３０としては、ＣＲＴ（Cathode Ray Tube）ディスプレイや液晶ディスプレイ等を用いることができる。
【００３０】
また、グラフィック処理部２０ｅは、プロセッサ２０ａからの命令にしたがって、イメージスキャナ３３で読み取った取引伝票の印字面の画像をディスプレイ３０に出力する。この際の画像は、照合印の印影、口座番号、取引要求者の氏名等を含む。また、イメージスキャナ３３としては、オーバーヘッドリーダ、フィードタイプのスキャナ、フラットヘッドスキャナ等が用いられる。
【００３１】
入出力信号処理部２０ｆは、印鑑照合装置２０に接続されたキーボード３１、マウス３２及びイメージスキャナ３３といった入力デバイスから入力信号を取得し、プロセッサ２０ａに出力する。例えば、入出力信号処理部２０ｆは、イメージスキャナ３３が読み取った画像をプロセッサ２０ａに出力する。
【００３２】
ディスクドライブ２０ｇは、レーザ光等を利用して、光ディスク３４に記録されたプログラムやデータを読み取る駆動装置である。光ディスク３４として、例えば、ＤＶＤ（Digital Versatile Disc）、ＤＶＤ−ＲＡＭ、ＣＤ（Compact Disc）−ＲＯＭ（Read Only Memory）、ＣＤ−Ｒ（Recordable）／ＲＷ（ReWritable）等を使用できる。ディスクドライブ２０ｇは、例えば、プロセッサ２０ａからの命令にしたがって、光ディスク３４から読み取ったプログラムやデータをＲＡＭ２０ｂまたはＨＤＤ２０ｃに格納する。
【００３３】
機器接続部２０ｈは、印鑑照合装置２０に周辺機器を接続するための通信インタフェースである。例えば、機器接続部２０ｈにはメモリ装置やリーダライタ装置等の外部メモリ３５を接続できる。メモリ装置は、機器接続部２０ｈとの通信機能を搭載した記録媒体である。リーダライタ装置は、メモリカードへのデータの書き込み、またはメモリカードからのデータの読み出しを行う装置である。メモリカードは、カード型の記録媒体である。機器接続部２０ｈは、例えば、プロセッサ２０ａからの命令にしたがって、このような外部メモリ３５から読み取ったプログラムやデータをＲＡＭ２０ｂまたはＨＤＤ２０ｃに格納する。
【００３４】
次に、このような印鑑照合システム１０の印鑑照合装置２０が備える機能について、図３を用いて説明する。
図３は、第２の実施の形態の印鑑照合装置が備える機能を示すブロック図である。
【００３５】
印鑑照合装置２０は、届出印情報保持部２１と画像取得部２２と表示処理部２３と指定点受付部２４と印影抽出部２５と照合部２６とを備えている。
届出印情報保持部２１は、口座番号に対応付けて、予め登録されている届出印の情報を保持している。画像取得部２２は、イメージスキャナ３３が読み取った、取引伝票の印字面の画像を取得する。表示処理部２３は、画像取得部２２が取得した取引伝票の印字面の画像をディスプレイ３０に表示させる。また、表示処理部２３は、マウス３２の操作入力に伴って動くマウスポインタをディスプレイ３０に表示させる。
【００３６】
指定点受付部２４は、マウス３２の操作入力（クリック）を通じて、印影上のマウスポインタの位置（指定点）を受け付ける。印影抽出部２５は、指定点受付部２４が受け付けた指定点に基づいて、印影を特定して抽出する。また、印影抽出部２５は、印影と共に取引伝票の印字面から口座番号も抽出する。照合部２６は、印影抽出部２５が抽出した口座番号に基づいて届出印情報保持部２１が保持する届出印を選択して、選択した届出印と同じく抽出した印影とを用いて照合する。
【００３７】
次に、印鑑照合装置２０によって実行される印鑑照合処理について図４及び図５を用いて説明する。
図４は、第２の実施の形態の印鑑照合装置で実行される印鑑照合処理を示すフローチャートであり、図５は、第２の実施の形態の印鑑照合装置で実行される印影抽出処理時に示される表示画面例を示す図である。なお、図５（Ａ）は、取引伝票の印字面の画像の表示例、図５（Ｂ）は、取引伝票の印字面の印影の印影領域を特定した際の表示例をそれぞれ表している。
【００３８】
係員は、照合対象の照合印が捺印された取引伝票をイメージスキャナ３３にセットして、印鑑照合装置２０に対して以下の印鑑照合処理を実行させる。
［ステップＳ１０］  画像取得部２２は、イメージスキャナ３３に読み取らせた、取引伝票の印字面の画像を取得し、表示処理部２３は、画像取得部２２が取得した取引伝票の印字面の画像をディスプレイ３０に表示させる。
【００３９】
この際、ディスプレイ３０には、図５（Ａ）に示されるように、取引伝票の印字面の画像３０ａが表示される。画像３０ａは、照合印の印影３０ｂ、署名欄（及び署名）、口座番号等を含んでいる。また、印影３０ｂを特定する印影領域３０ｄが初期位置としてディスプレイ３０の左上に表示されている。また、ディスプレイ３０にはマウス３２に対応したマウスポインタ３０ｃが表示されている。
【００４０】
［ステップＳ２０］  指定点受付部２４がマウス３２によるクリックの受け付けを待ち受ける。次の処理は、指定点受付部２４がクリックを受け付けると、ステップＳ３０の処理に進められる。
【００４１】
例えば、係員は、マウス３２を用いて、図５（Ａ）に示されるように、印影３０ｂ上の任意の位置にマウスポインタ３０ｃを移動させてクリックする。
［ステップＳ３０］  指定点受付部２４は、ステップＳ２０で受け付けた指定点の座標を取得する。
【００４２】
［ステップＳ４０］  印影抽出部２５は、ステップＳ３０で取得した指定点に基づいて初期位置から印影領域３０ｄを印影３０ｂに移動することで、印影３０ｂを特定し、印影領域３０ｄ内の印影３０ｂを抽出する。また、この際、印影抽出部２５は、取引伝票の画像３０ａから口座番号も抽出する。なお、ステップＳ４０の印影抽出処理の詳細については後述する。
【００４３】
［ステップＳ５０］  照合部２６は、届出印情報保持部２１を参照してステップＳ４０で取得した口座番号に対応する届出印を選択する。照合部２６は、ステップＳ４０で抽出した照合印の印影３０ｂと選択した届出印とを照合して一致するか否かを判定する。
【００４４】
［ステップＳ６０］  照合部２６は、照合結果をディスプレイ３０に表示させることで係員に通知する。
印鑑照合装置２０が以上の処理を実行して照合印の照合が完了すると、金融機関では、所望の金融手続き、金融取引を行う。
【００４５】
次に、印鑑照合処理のステップＳ４０の印影抽出処理について、図６及び図７を用いて説明する。
図６は、第２の実施の形態の印鑑照合装置で実行される印影抽出処理を示すフローチャートであり、図７は、第２の実施の形態の印鑑照合装置で実行される印影抽出処理を説明するための図である。なお、図７（Ａ）は、印影に対して設置された２つの走査線を、図７（Ｂ）は、印影に対する指定点に基づき算出された２つの座標を、図７（Ｃ）は、算出された２つの座標に基づき設置された印影領域をそれぞれ示している。
【００４６】
［ステップＳ４１］  印影抽出部２５は、図７（Ａ）に示されるように、印影３０ｂに指定された指定点（Ｘ０，Ｙ０）を通り、直交する垂直走査線、水平走査線をそれぞれ設定する。
【００４７】
［ステップＳ４２］  印影抽出部２５は、図７（Ｂ）に示されるように、印影３０ｂ上に指定された指定点（Ｘ０，Ｙ０）を通る垂直走査線を利用して、座標（Ｘ１）を算出する。なお、座標（Ｘ１）算出処理の詳細については後述する。
【００４８】
［ステップＳ４３］  印影抽出部２５は、図７（Ｂ）に示されるように、印影３０ｂ上に指定された指定点（Ｘ０，Ｙ０）を通る水平走査線を利用して、座標（Ｙ１）を算出する。なお、座標（Ｙ１）算出処理の詳細については後述する。
【００４９】
［ステップＳ４４］  印影抽出部２５は、図７（Ｂ）に示されるように、印影３０ｂ上に指定された指定点（Ｘ０，Ｙ０）を通る垂直走査線を利用して、座標（Ｘ２）を算出する。なお、座標（Ｘ２）算出処理の詳細については後述する。
【００５０】
［ステップＳ４５］  印影抽出部２５は、図７（Ｂ）に示されるように、印影３０ｂ上に指定された指定点（Ｘ０，Ｙ０）を通る水平走査線を利用して、座標（Ｙ２）を算出する。なお、座標（Ｙ２）算出処理の詳細については後述する。
【００５１】
［ステップＳ４６］  印影抽出部２５は、図７（Ｃ）に示されるように、ステップＳ４２〜Ｓ４５で算出した２つの座標Ｐ１（Ｘ１，Ｙ１）（第１交点），Ｐ２（Ｘ２，Ｙ２）（第２交点）により印影領域３０ｄを構成し、印影領域３０ｄ内の印影３０ｂを抽出する。
【００５２】
［ステップＳ４７］  印影抽出部２５は、抽出した印影３０ｂをイメージデータ化する。
以上の印影抽出処理により、印影３０ｂを抽出してイメージデータ化することができる。
【００５３】
次に、印影抽出処理のステップＳ４２〜Ｓ４５の座標算出処理について、図８〜図１０を用いて説明する。
図８及び図９は、第２の実施の形態の印鑑照合装置で実行される座標算出処理を示すフローチャートである。なお、図８（Ａ），（Ｂ）は、座標Ｐ１（Ｘ１，Ｙ１）の算出処理を、図９（Ａ），（Ｂ）は、座標Ｐ２（Ｘ２，Ｙ２）算出処理をそれぞれ表している。
【００５４】
図１０は、第２の実施の形態の印鑑照合装置で実行される座標取得処理を説明するための図である。なお、図１０は、座標Ｐ１（Ｘ１，Ｙ１）の算出を説明しており、図１０（Ａ）〜図１０（Ｄ）は、Ｘ方向（右方向）及びＹ方向（上方向）への垂直走査線及び水平走査線の走査をそれぞれ表している。
【００５５】
まず、図８（Ａ）及び図１０（Ａ）〜図１０（Ｄ）のＸ方向（右方向）を用いて、座標（Ｘ１）算出処理について説明する。
［ステップＳ４２ａ］  印影抽出部２５は、図４のステップＳ３０で取得した指定点の（Ｘ成分の）座標（Ｘ０）を取得する。
【００５６】
［ステップＳ４２ｂ］  印影抽出部２５は、図１０（Ａ）〜図１０（Ｄ）のＸ方向（右方向）に示されるように、垂直走査線を指定点（Ｘ０，Ｙ０）から印影３０ｂのＸ方向（右方向）に１ドット走査する。
【００５７】
［ステップＳ４２ｃ］  印影抽出部２５は、印影３０ｂに対する垂直走査線上の画素の集合が１つであるか否かを判定する。
次の処理は、印影抽出部２５が、印影３０ｂに対する垂直走査線上の画素の集合が１つであることを判定するとステップＳ４２ｄに進められ、それまではステップＳ４２ｂに繰り返し進められる。
【００５８】
例えば、図１０（Ａ）〜（Ｃ）のＸ方向（右方向）では、印影３０ｂに対する垂直走査線上の画素の集合は３つ、並びに２つであるために、垂直走査線はさらに右方向に走査されて、ステップＳ４２ｂに進められる。また、図１０（Ｄ）のＸ方向（右方向）では、印影３０ｂに対する垂直走査線上の画素の集合は１つであるために、ステップＳ４２ｄに進められる。
【００５９】
［ステップＳ４２ｄ］  印影抽出部２５は、印影３０ｂに対する垂直走査線上の画素の集合が１つとなった際の垂直走査線の座標（Ｘａ）を取得する（図１０（Ｄ）のＸ方向（右方向）参照）。
【００６０】
［ステップＳ４２ｅ］  印影抽出部２５は、ステップＳ４２ｄで取得した座標（Ｘａ）に対して、任意の値αを加えて、座標（Ｘ１（＝Ｘａ＋α））を算出する（図１０（Ｄ）のＸ方向（右方向）参照）。なお、値αは、印影３０ｂに対して印影領域３０ｄをどのくらいの隙間を設けて設置するかに応じて、適宜設定される。場合によっては、値αは設定しなくても構わない。
【００６１】
以上の座標（Ｘ１）算出処理により、座標（Ｘ１）が得られる。
次いで、図８（Ｂ）及び図１０（Ａ）〜図１０（Ｄ）のＹ方向（上方向）を用いて、座標（Ｙ１）算出処理について説明する。
【００６２】
［ステップＳ４３ａ］  印影抽出部２５は、ステップＳ３０で取得した指定点の（Ｙ成分の）座標（Ｙ０）を取得する。
［ステップＳ４３ｂ］  印影抽出部２５は、図１０（Ａ）〜図１０（Ｄ）のＹ方向（上方向）に示されるように、水平走査線を指定点（Ｘ０，Ｙ０）から印影３０ｂのＹ方向（上方向）に１ドット走査する。
【００６３】
［ステップＳ４３ｃ］  印影抽出部２５は、印影３０ｂに対する水平走査線上の画素の集合が１つであるか否かを判定する。
次の処理は、印影抽出部２５が、印影３０ｂに対する水平走査線上の画素の集合が１つであることを判定するとステップＳ４３ｄに進められ、それまではステップＳ４３ｂに繰り返し進められる。
【００６４】
例えば、図１０（Ａ）〜（Ｃ）のＹ方向（上方向）では、印影３０ｂに対する水平走査線上の画素の集合は５つ、３つ、並びに２つであるために、水平走査線はさらに上方向に走査されて、ステップＳ４３ｂに進められる。また、図１０（Ｄ）のＹ方向（上方向）では、印影３０ｂに対する水平走査線上の画素の集合は１つであるために、ステップＳ４３ｄに進められる。
【００６５】
［ステップＳ４３ｄ］  印影抽出部２５は、印影３０ｂに対する水平走査線上の画素の集合が１つとなった際の水平走査線の座標（Ｙａ）を取得する（図１０（Ｄ）のＹ方向（上方向）参照）。
【００６６】
［ステップＳ４３ｅ］  印影抽出部２５は、ステップＳ４３ｄで取得した座標（Ｙａ）に対して、任意の値αを加えて、座標（Ｙ１（＝Ｙａ＋α））を算出する（図１０（Ｄ）のＹ方向（上方向）参照）。なお、この場合の値αも、印影３０ｂに対して印影領域３０ｄをどのくらいの隙間を設けて設置するかに応じて、適宜設定される。場合によっては、値αは設定しなくても構わない。
【００６７】
以上の座標（Ｙ１）算出処理により、座標（Ｙ１）が得られる。
このように、上記の図８（Ａ），（Ｂ）のフローチャートの処理によって、図７（Ｂ），（Ｃ）に示した座標Ｐ１（Ｘ１，Ｙ１）が得られる。
【００６８】
次に、図７（Ｂ），（Ｃ）に示した座標Ｐ２（Ｘ２，Ｙ２）のうち、図９（Ａ）を用いて、座標（Ｘ２）算出処理について説明する。なお、座標（Ｘ２，Ｙ２）の場合の垂直走査線及び水平走査線は、座標（Ｘ１，Ｙ１）の場合に対して反対方向に走査される。具体的には、垂直走査線は、指定点（Ｘ０，Ｙ０）からＸ方向（左方向）に、水平走査線は、指定点（Ｘ０，Ｙ０）からＹ方向（下方向）にそれぞれ走査される。なお、これらについての図示は省略している。
【００６９】
まず、図９（Ａ）を用いて、座標（Ｘ２）算出処理について説明する。
［ステップＳ４４ａ］  印影抽出部２５は、図４のステップＳ３０で取得した指定点の（Ｘ成分の）座標（Ｘ０）を取得する。
【００７０】
［ステップＳ４４ｂ］  印影抽出部２５は、垂直走査線を指定点（Ｘ０，Ｙ０）から印影３０ｂのＸ方向（左方向）に１ドット走査する。
［ステップＳ４４ｃ］  印影抽出部２５は、印影３０ｂに対する垂直走査線上の画素の集合が１つであるか否かを判定する。
【００７１】
次の処理は、印影抽出部２５が、印影３０ｂに対する垂直走査線上の画素の集合が１つであることを判定するとステップＳ４４ｄに進められ、それまではステップＳ４４ｂに繰り返し進められる。
【００７２】
［ステップＳ４４ｄ］  印影抽出部２５は、印影３０ｂに対する垂直走査線上の画素の集合が１つとなった際の垂直走査線の座標（Ｘｂ）を取得する。
［ステップＳ４４ｅ］は、印影抽出部２５は、ステップＳ４４ｄで取得した座標（Ｘｂ）に対して、任意の値αを加えて、座標（Ｘ２（＝Ｘｂ＋α））を算出する。なお、この場合の値αも、印影３０ｂに対して印影領域３０ｄをどのくらいの隙間を設けて設置するかに応じて、適宜設定される。場合によっては、値αは設定しなくても構わない。
【００７３】
以上の座標（Ｘ２）算出処理により、座標（Ｘ２）が得られる。
次いで、図９（Ｂ）を用いて、座標（Ｙ２）算出処理について説明する。
［ステップＳ４５ａ］  印影抽出部２５は、ステップＳ３０で取得した指定点の（Ｙ成分の）座標（Ｙ０）を取得する。
【００７４】
［ステップＳ４５ｂ］  印影抽出部２５は、水平走査線を指定点（Ｘ０，Ｙ０）から印影３０ｂのＹ方向（下方向）に１ドット走査する。
［ステップＳ４５ｃ］  印影抽出部２５は、印影３０ｂに対する水平走査線上の画素の集合が１つであるか否かを判定する。
【００７５】
次の処理は、印影抽出部２５が、印影３０ｂに対する水平走査線上の画素の集合が１つであることを判定するとステップＳ４５ｄに進められ、それまではステップＳ４５ｂに繰り返し進められる。
【００７６】
［ステップＳ４５ｄ］  印影抽出部２５は、印影３０ｂに対する水平走査線上の画素の集合が１つとなった際の水平走査線の座標（Ｙｂ）を取得する。
［ステップＳ４５ｅ］は、印影抽出部２５は、ステップＳ４５ｄで取得した座標（Ｙｂ）に対して、任意の値αを加えて、座標（Ｙ２（＝Ｙｂ＋α））を算出する。なお、この場合の値αも、印影３０ｂに対して印影領域３０ｄをどのくらいの隙間を設けて設置するかに応じて、適宜設定される。場合によっては、値αは設定しなくても構わない。
【００７７】
以上の座標（Ｙ２）算出処理により、座標（Ｙ２）が得られる。
このように、上記の図９（Ａ），（Ｂ）のフローチャートの処理によって、図７（Ｂ），（Ｃ）に示した座標Ｐ２（Ｘ２，Ｙ２）が得られる。そして、図６のステップＳ４６で座標Ｐ１（Ｘ１，Ｙ１），Ｐ２（Ｘ２，Ｙ２）が用いられる。
【００７８】
なお、第２の実施の形態では、照合印の印影３０ｂが円形の場合を例に挙げて説明しており、楕円形の場合でも同様に適用することができる。印影３０ｂの形状は、これらの場合に限らず、矩形であってもよい。ここで、印影３０ｂが矩形（その一例として正方形）の場合のステップＳ４２ａ〜４２ｅ（図８（Ａ））について、図１１並びに図８（Ａ）を用いて説明する。
【００７９】
図１１は、第２の実施の形態の印鑑照合装置で実行される座標取得処理を説明するための図である。なお、図１１（Ａ）は、矩形の印影３０ｂに対して、垂直走査線及び水平走査線を設定した場合を示している。また、図１１（Ｂ）〜図１１（Ｅ）は、Ｘ方向（右方向）への垂直走査線の走査をそれぞれ表している。
【００８０】
矩形の印影３０ｂに対しても、印影３０ｂ上に指定点（Ｘ０，Ｙ０）が指定されると、図１１（Ａ）に示されるように、印影抽出部２５は、印影３０ｂに指定された指定点（Ｘ０，Ｙ０）を通り、直交する垂直走査線、水平走査線をそれぞれ設定する（ステップＳ４１：図６）。そして、印影抽出部２５は以下の図８（Ａ）の処理を実行する。
【００８１】
［ステップＳ４２ａ］  印影抽出部２５は、図４のステップＳ３０で取得した指定点の（Ｘ成分の）座標（Ｘ０）を取得する。
［ステップＳ４２ｂ］  印影抽出部２５は、図１１（Ｂ）〜図１１（Ｅ）に示されるように、垂直走査線を指定点（Ｘ０，Ｙ０）から印影３０ｂのＸ方向（右方向）に１ドット走査する。
【００８２】
［ステップＳ４２ｃ］  印影抽出部２５は、印影３０ｂに対する垂直走査線上の画素の集合が１つであるか否かを判定する。
次の処理は、印影抽出部２５が、印影３０ｂに対する垂直走査線上の画素の集合が１つであることを判定するとステップＳ４２ｄに進められ、それまではステップＳ４２ｂに繰り返し進められる。
【００８３】
例えば、図１１（Ｂ）〜図１１（Ｄ）では、印影３０ｂに対する垂直走査線上の画素の集合は３つ、並びに２つであるために、垂直走査線はさらに右方向に走査される。また、図１１（Ｅ）では、印影３０ｂに対する垂直走査線上の画素の集合は１つであるために、ステップＳ４２ｄに進められる。
【００８４】
［ステップＳ４２ｄ］  印影抽出部２５は、印影３０ｂに対する垂直走査線上の画素の集合が１つとなった際の垂直走査線の座標（Ｘａ）を取得する（図１１（Ｅ））参照）。
［ステップＳ４２ｅ］  印影抽出部２５は、ステップＳ４２ｄで取得した座標（Ｘａ）に対して、任意の値αを加えて、座標（Ｘ１（＝Ｘａ＋α））を算出する（図１１（Ｅ）参照）。なお、値αは、印影３０ｂに対して印影領域３０ｄをどのくらいの隙間を設けて設置するかに応じて、適宜設定される。場合によっては、値αは設定しなくても構わない。
【００８５】
以上の座標（Ｘ１）算出処理により、座標（Ｘ１）が得られる。
このような矩形の印影３０ｂに対して、さらに、ステップＳ４３〜Ｓ４５の処理を同様に実行することで、矩形の印影３０ｂの場合の座標Ｐ１（Ｘ１，Ｙ１），Ｐ２（Ｘ２，Ｙ２）が得られる。
【００８６】
上記の印鑑照合システム１０では、照合対象の照合印が印字面に捺印された取引伝票の印字面の画像３０ａを取得し、画像３０ａにおいて照合印の印影３０ｂ上の指定された任意の一の指定点を通過する垂直走査線及び水平走査線をそれぞれＸ方向（左右方向）及びＹ方向（上下方向）に走査して得られる２つの交点から印影３０ｂの印影領域３０ｄを特定し、特定した印影領域３０ｄ内の印影３０ｂを抽出し、抽出した印影３０ｂと届出印とを照合する。
【００８７】
このような印鑑照合方法では、照合印の印影３０ｂに対して印影領域３０ｄを移動させて、サイズを調整することなく、照合印の印影３０ｂ上の任意の一の指定点をマウス３２でクリックして指定するだけで、印影３０ｂに対する印影領域３０ｄを特定することができる。したがって、読み取った取引伝票から照合印の印影３０ｂを容易に抽出することができ、その後の印鑑照合に効率よく進むことができるようになる。
【００８８】
［第３の実施の形態］
第３の実施の形態では、第２の実施の形態とは異なる印影抽出処理を用いる場合について図１２及び図１３を用いて説明する。なお、第３の実施の形態は、第２の実施の形態の印鑑照合システム１０（図２及び図３）が用いられて、印鑑照合処理（図４及び図５）が実行される。この印鑑照合処理において、以下に示す印鑑抽出処理が実行される。
【００８９】
図１２は、第３の実施の形態の印鑑照合装置で実行される印影抽出処理を示すフローチャートである。なお、図１２のフローチャートは、図６のフローチャートと同じ処理には同じステップ番号を付している。
【００９０】
また、図１３は、第３の実施の形態の印鑑照合装置で実行される印影抽出処理を説明するための図である。なお、図１３（Ａ）は、印影３０ｂに対して設定された座標Ｐ１（Ｘ１，Ｙ１）を、図１３（Ｂ）は、印影３０ｂに対して設定された印影領域３０ｄをそれぞれ表している。
【００９１】
［ステップＳ４１］  印影抽出部２５は、図７（Ａ）に示されるように、印影３０ｂに指定された指定点（Ｘ０，Ｙ０）を通り、直交する垂直走査線、水平走査線をそれぞれ設定する。
【００９２】
［ステップＳ４２］  印影抽出部２５は、図７（Ｂ）に示されるように、印影３０ｂ上に指定された指定点（Ｘ０，Ｙ０）を通る垂直走査線を利用して、座標（Ｘ１）を算出する（図８（Ａ）参照）。
【００９３】
［ステップＳ４３］  印影抽出部２５は、図７（Ｂ）に示されるように、印影３０ｂ上に指定された指定点（Ｘ０，Ｙ０）を通る水平走査線を利用して、座標（Ｙ１）を算出する（図８（Ｂ）参照）。
【００９４】
［ステップＳ５０］  印影抽出部２５は、図１３（Ａ）に示されるように、ステップＳ４２，Ｓ４３で算出した座標を用いて、印影３０ｂに対して、座標Ｐ１（Ｘ１，Ｙ１）を設定する。
【００９５】
［ステップＳ５１］  印影抽出部２５は、図１３（Ｂ）に示されるように、ステップＳ５０で設定した座標Ｐ１（Ｘ１，Ｙ１）（第１交点）に、予め規定している矩形の印影領域３０ｄの頂点の一つを重畳させる。これにより、印影３０ｂに対して印影領域３０ｄを特定することができる。
【００９６】
なお、ここで用いられる印影領域３０ｄは、一般的に用いられる印鑑の印影サイズに合わせて規定されているものである。したがって、印影領域３０ｄのサイズは事前に適宜変更することができるものである。
【００９７】
［ステップＳ４６］  印影抽出部２５は、ステップＳ５１で特定した印影領域３０ｄ内の印影３０ｂを抽出する。
［ステップＳ４７］  印影抽出部２５は、抽出した印影３０ｂをイメージデータ化する。
【００９８】
以上の印影抽出処理により、印影３０ｂを抽出してイメージデータ化することができる。そして、印鑑照合装置２０は、図４のステップＳ５０，Ｓ６０の処理を実行することができる。
【００９９】
なお、第３の実施の形態では、ステップＳ５０で第２の実施の形態の座標Ｐ１（Ｘ１，Ｙ１）を用いた場合について説明しているが、座標Ｐ１（Ｘ１，Ｙ１）に代わり、座標Ｐ２（Ｘ２，Ｙ２）を用いてもよい。
【０１００】
上記の印鑑照合システム１０では、照合対象の照合印が印字面に捺印された取引伝票の印字面の画像３０ａを取得し、画像３０ａにおいて照合印の印影３０ｂ上の指定された任意の一の指定点を通過する垂直走査線及び水平走査線をそれぞれＸ方向（右または左方向）及びＹ方向（上または下方向）に走査して得られる交点に、予め規定されている矩形の印影領域３０ｄの頂点を合わせて、印影３０ｂの印影領域３０ｄを特定し、特定した印影領域３０ｄ内の印影３０ｂを抽出し、抽出した印影３０ｂと届出印とを照合する。
【０１０１】
このような印鑑照合方法では、照合印の印影３０ｂに対して印影領域３０ｄを移動させて、サイズを調整することなく、照合印の印影３０ｂ上の任意の一の指定点をマウス３２でクリックして指定するだけで、印影３０ｂに対する印影領域３０ｄを特定することができる。したがって、読み取った取引伝票から照合印の印影３０ｂを容易に抽出することができ、その後の印鑑照合に効率よく進むことができるようになる。
【０１０２】
また、第２の実施の形態の場合よりもより容易に印影３０ｂを抽出することができるようになる。
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１０３】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ、ＤＶＤ−ＲＡＭ、ＣＤ−ＲＯＭ、ＣＤ−Ｒ／ＲＷ等がある。光磁気記録媒体には、ＭＯ（Magneto - Optical disk）等がある。半導体メモリには、ＵＳＢ（Universal Serial Bus）メモリ等のフラッシュメモリがある。
【０１０４】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１０５】
上記プログラムを実行するコンピュータは、例えば、可搬型記録媒体に記録されたプログラム若しくはサーバコンピュータから転送されたプログラムを、自己の記録装置に格納する。そして、コンピュータは、自己の記録装置からプログラムを読み取り、プログラムの通りに処理を実行する。なお、コンピュータは、可搬型記録媒体から直接プログラムを読み取り、そのプログラムの通りに処理を実行することもできる。また、コンピュータは、サーバコンピュータからプログラムが転送されるごとに、逐次、受け取ったプログラムの通りに処理を実行することもできる。
【０１０６】
また、プログラムで記述された処理の一部または全てを、電子回路に置き換えることが可能である。例えば、上記の処理機能の少なくとも一部を、ＤＳＰ、ＡＳＩＣ、ＰＬＤ等の電子回路で実現してもよい。
【符号の説明】
【０１０７】
１，１０  印鑑照合システム
２，２０  印鑑照合装置
３  表示装置
３ａ，３０ａ  画像
３ｂ，３０ｂ  印影
３ｃ  指定点
３ｄ，３０ｄ  印影領域
４  入力装置
５  画像読取装置
２０ａ  プロセッサ
２０ｂ  ＲＡＭ
２０ｃ  ＨＤＤ
２０ｄ  通信処理部
２０ｅ  グラフィック処理部
２０ｆ  入出力信号処理部
２０ｇ  ディスクドライブ
２０ｈ  機器接続部
２０ｉ  バス
２１  届出印情報保持部
２２  画像取得部
２３  表示処理部
２４  指定点受付部
２５  印影抽出部
２６  照合部
３０  ディスプレイ
３０ｃ  マウスポインタ
３１  キーボード
３２  マウス
３３  イメージスキャナ
３４  光ディスク
３５  外部メモリ
【図１】
2020052860.tif 000003
【図２】
2020052860.tif 000004
【図３】
2020052860.tif 000005
【図４】
2020052860.tif 000006
【図５】
2020052860.tif 000007
【図６】
2020052860.tif 000008
【図７】
2020052860.tif 000009
【図８】
2020052860.tif 000010
【図９】
2020052860.tif 000011
【図１０】
2020052860.tif 000012
【図１１】
2020052860.tif 000013
【図１２】
2020052860.tif 000014
【図１３】
2020052860.tif 000015
【図１４】
2020052860.tif 000016
【図１５】
2020052860.tif 000017